(57)【要約】 【課題】  回路構成体同士に係る端子の接続において、端子の位置決めを正確にすることが可能な電気接続箱を提供する。【解決手段】  分岐路部１２と電源分配部１３との端縁同士を突き合わせて全体が略Ｌ字状に組合わされてなる回路体１１を、ケーシング１５で包囲してなる電気接続箱１０において、分岐路部１２と電源分配部１３との電気的接続を行う端子の嵌合において、ケーシング１５の組み付け時に突壁１６Ｐと嵌入溝部１７Ｄとの嵌合動作によって先に分岐路部１２と電源分配部１３との位置決めがなされてから水平接続部２３Ｈと接続端子３１Ｖ及び垂直外部端子３５Ｖとの接続がおこなわれるので、端子同士の位置決めを正確にすることが可能となる。【選択図】  図１１
2006187124.tif 000002
【特許請求の範囲】
【請求項１】
制御用回路基板にスイッチングデバイスを実装してなると共に、前記制御用回路基板に絶縁層を介して積層される複数本のバスバーを配設してなる第１回路構成体と、
絶縁基板に複数本のバスバーを配設してなる第２回路構成体とを備え、
前記第１回路構成体に設けられた第１端子と前記第２回路構成体に設けられた第２端子とが互い電気的に接続されることにより、前記両回路構成体同士が電気的に接続されてなる電気接続箱において、
前記第１端子と前記第２端子との接続に先立って前記第１回路構成体と前記第２回路構成体とを位置決めする位置決め手段を備えていることを特徴とする電気接続箱。
【請求項２】
前記位置決め手段が、突部を受部に嵌合させることで前記第１回路構成体と第２回路構成体の組み付け方向と垂直をなす平面方向に関する移動を規制可能とすることを特徴とする請求項１に記載の電気接続箱。
【請求項３】
前記受部が第１回路構成体と第２回路構成体との組み付け方向に沿って形成された溝状をなすと共に、前記突部が平板状の突片をなす構成であることを特徴とする請求項１に記載の電気接続箱。
【請求項４】
前記受部が前記第１回路構成体又は前記第２回路構成体のいずれか一方の回路構成体を包囲するケーシングに設けられると共に、前記突部が、他方の回路構成体を包囲するケーシングに設けられたことを特徴とする請求項２又は請求項３に記載の電気接続箱。
【発明の詳細な説明】
【技術分野】
【０００１】
本発明は、電力供給を行う電気接続箱に関する。
【背景技術】
【０００２】
従来の電気接続箱として例えば特許文献１に示すものがある。このものは、例えば、自動車に搭載されるものであって、車載バッテリー等の電源と各電子装置との間に介されて各電子装置への電源供給の制御を行なう電力分配器として用いられるものである。
この種の電気接続箱は、平面状に配索された複数本のバスバーと、絶縁層を介してこれらバスバーへ積層した制御用回路基板と、この制御用回路基板に実装される半導体スイッチングデバイスとを有する回路構成体を備えており、当該半導体スイッチングデバイスを動作させることによって各バスバーに通電させて各電子装置への電力供給の制御を行なうようになっている。
【特許文献１】特開２００３−１６４０３９公報
【発明の開示】
【発明が解決しようとする課題】
【０００３】
ところで、自動車に要求される快適性・安全性等は高まる一方であり、これらを高水準で満たすために自動車に搭載される電子装置の数は増加する傾向にあり、制御用回路基板上に実装されるスイッチングデバイスの数が増加する。これに伴って回路構成体中に要求される電源供給を行うための導電路の数も増えるため、導電路のみを例えば複数本のバスバーを絶縁基板に配設してなる他の回路構成体（第２回路構成体）として形成し、前述の回路構成体（第１回路構成体）に対して接続することで高密度化を達成することが考えられる。
しかしながら、上記のような多数の導電路を備える第１回路構成体と第２回路構成体とを導通接続する場合、多数の端子を接続しなければならないのであるが、作業性を考慮してこれらの多数の端子を同時に接続しようとした場合、位置決めを正確に行わなければならないという問題があった。
本発明は上記のような事情に基づいて完成されたものであって、回路構成体同士に係る端子の接続において、端子の位置決めを正確にすることが可能な電気接続箱を提供することを目的とする。
【課題を解決するための手段】
【０００４】
上記の目的を達成するための手段として、請求項１の発明は、制御用回路基板にスイッチングデバイスを実装してなると共に、前記制御用回路基板に絶縁層を介して積層される複数本のバスバーを配設してなる第１回路構成体と、絶縁基板に複数本のバスバーを配設してなる第２回路構成体とを備え、前記第１回路構成体に設けられた第１端子と前記第２回路構成体に設けられた第２端子とが互い電気的に接続されることにより、前記両回路構成体同士が電気的に接続されてなる電気接続箱において、前記第１端子と前記第２端子との接続に先立って前記第１回路構成体と前記第２回路構成体とを位置決めする位置決め手段を備えているところに特徴を有する。
【０００５】
請求項２の発明は、請求項１に記載のものにおいて、前記位置決め手段が、突部を受部に嵌合させることで前記第１回路構成体と第２回路構成体の組み付け方向と垂直をなす平面方向に関する移動を規制可能とするところに特徴を有する。
【０００６】
請求項３の発明は、請求項１または請求項２に記載のものにおいて、前記受部が第１回路構成体と第２回路構成体との組み付け方向に沿って形成された溝状をなすと共に、前記突部が平板状の突片をなす構成であるところに特徴を有する。
【０００７】
請求項４の発明は、請求項１ないし請求項３のいずれかに記載のものにおいて、前記受部が前記第１回路構成体又は前記第２回路構成体のいずれか一方の回路構成体を包囲するケーシングに設けられると共に、前記突部が、他方の回路構成体を包囲するケーシングに設けられたところに特徴を有する。
【発明の効果】
【０００８】
＜請求項１の発明＞
先に第１回路構成体と第２回路構成体との位置決めがなされてから第１端子と第２端子との接続がおこなわれるので、端子同士の位置決めを正確にすることが可能となる。
【０００９】
＜請求項２の発明＞
組み付け方向と垂直をなす平面方向に関する移動を規制可能であるので、第１端子と第２端子との位置ずれを確実に規制できる。
【００１０】
＜請求項３の発明＞
組み付け方向に沿って形成された溝に対して突片を挿入するので、簡易な構造で確実に位置決めすることができる。
【００１１】
＜請求項４の発明＞
前記第１回路構成体と第２回路構成体とのケーシングの組み付けと同時に第１端子と第２端子との接続がなされるので、組み付け性が向上する。
【発明を実施するための最良の形態】
【００１２】
＜実施形態１＞
本発明の実施形態１について図１ないし図１３を参照して説明する。本実施形態の電気接続箱１０は、例えば、車載バッテリー等の電源と各電子装置等の負荷との間に介されて各電子装置への電源供給の制御を行なう電力分配器として用いられるものである。
電気接続箱１０は、図１に示すように、いずれも略平板状に形成された分岐路部１２と電源分配部１３とが互いに垂直になるように端縁同士を突き合わせて全体として略Ｌ字状となるように組合わされてなる回路体１１を、ケーシング１５で包囲してなるものであり、電気接続箱１０の上面には外装品取付部１４が形成されている。
【００１３】
分岐路部１２は、図３に示すように、金属平板を打ち抜いて所定回路形状に形成された複数本のバスバー２１からなるバスバー回路２２を絶縁板２５を介して上下に積層してなるものである。
バスバー２１の端部は、他の回路や電子部品等に接続する接続部２３が形成されているが、バスバー回路２２の回路構成に応じて垂直に曲げ起こした垂直接続部２３Ｖと水平に延出させた水平接続部２３Ｈとが選択的に形成されている。
絶縁板２５は上下のバスバー回路２２の絶縁を行うと共に、所定箇所に貫通孔２６が形成されており、この貫通孔２６を介して垂直接続部２３Ｖが分岐路部１２の表面或いは裏面に突出するようになっている。尚、図３には、４枚の絶縁板２５が上下に並べて記載されているが、一番上側に記載された絶縁板２５以外は貫通孔２６が省略して記載されている。
また、本実施形態では、分岐路部１２の上面側に突出する垂直接続部２３Ｖの先端は二又状に形成されて、外装品（本実施形態ではヒューズＨ又はヒュージブルリンクＦ）の端子を挟持可能となっている。また分岐路部１２の下面側に突出する垂直接続部２３Ｖの先端部はタブ状になっていて、メインケース１６に形成されたコネクタハウジング１６Ｃ（図１３参照）内部に延出することでオス端子を構成するようになっている。
水平接続部２３Ｈは分岐路部１２と電源分配部１３との突き合せ部分の一所（図３の左奥方）に並列するように配設されており、この水平接続部２３Ｈが電源分配部１３との接続を行うようになっている。
【００１４】
電源分配部１３は、図４，５に示すように、金属平板を打ち抜いて複数本の第１バスバー３１からなる所定回路形状に形成されたバスバー回路３２と、所定の印刷回路が形成された回路基板３３とを接着したものの回路基板３３上面側に、リレー又は半導体スイッチ等のスイッチングデバイス３４及びこれらの制御用の電子部品等（図示なし）を実装してなるものである。
電源分配部１３の図６における左手前側の角部には、主に回路基板３３と外部機器との接続を行う制御用コネクタ３７が配設されている。この制御用コネクタ３７は略角筒形状のハウジング内にタブ状のオス端子を配するもので、オス端子は回路基板３３に形成されたスルーホール３３Ｈにはんだ付けされることで回路基板３３との導通接続が行われるものである。
また、電源分配部１３の図５における奥方の一辺部には電力用導電路の外部との接続を行う電力用端子３１Ｗが配設されている。電力用端子３１Ｗは第１バスバー３１の端部の延出部分を電源分配部１３の表面に対して垂直に曲げ起こして形成されたものである。図示左側の電力用端子３１Ｗはその先端が二又状に形成されたヒューズ端子３１Ｈであり、その二又状の先端部分は電源分配部１３の表面と水平な方向に屈曲されている。また、ヒューズ端子３１Ｈの右側の電力用端子３１Ｗは、その先端がタブ状に形成されたものであり、分岐路部１２に接続される接続端子３１Ｖをなしている。
【００１５】
さらに、電源分配部１３には、図５に示すように、その表面に第２バスバー３５が配索されている。
第２バスバー３５は、金属平板からなる厚みよりも幅広な表面を有する帯状の導電路で、電源分配部１３においてスイッチングデバイス３４が実装されている側の面（実装面）に配設されている。第２バスバー３５は、電源分配部１３において各スイッチングデバイス３４等回路基板３３側における所定の接続箇所から、図５の右奥方に向かって適宜周回させて形成されている。また、第２バスバー３５は接着剤（例えばシリコーン系接着剤）又は接着シート（例えば絶縁シートの両面に接着剤を塗布して接着性をもたせたもの）により回路基板３３上に固定されているが、この接着剤又は接着シートが第２バスバー３５と回路基板３３との間の絶縁層となり、回路基板３３との短絡を防止する構成となっている。
【００１６】
第２バスバー３５の回路基板３３側に接続される先端部分は、図４、５に示すように、実装面上を周回する箇所よりも回路基板３３側に向けて段差が生じるように屈曲されて段差接続部３５Ｄが形成されている。この段差接続部３５Ｄは回路基板３３に貫通形成された収容孔３３Ａを介してバスバー回路３２に（はんだ付け等によって）接続可能となっている。
【００１７】
一方、第２バスバーの段差接続部３５Ｄと反対側の（図５の右奥方に配された）端部は電源分配部１３の回路面に対し、垂直上方に曲げ起こされた垂直外部端子３５Ｖが形成されている。この垂直外部端子３５Ｖは第１バスバー３１の電力用端子３１の接続端子３１Ｖと平行となるように配設されていると共に、後述するようにサイドケース１７に一体形成されたハウジング３６内に突出して分岐路部１２との接続用のオス端子となっている。
【００１８】
また、第２バスバー３５には、回路基板３３上を周回する箇所の一部について、その幅広な表面を電源分配部１３の表面に対して垂直となるように形成された衝立部３５Ｃを有するものも設けられている。
ここで、電源分配部１３上にはスイッチングデバイス３４を配設するためのある程度の高さを有する空間が存在しているが、本実施形態のように衝立部３５Ｃを有する第２バスバー３５を用いることによりその空間を効率よく利用して第２バスバー３５を配策することができるようになっている。
【００１９】
尚、本実施形態では、詳細には図示しないが、電源分配部１３において段差接続部３５Ｄをスイッチングデバイス３４の端子に直接接続させる場合には、この段差接続部３５Ｄに対応する個所において、回路基板３３とバスバー回路３２との双方に亘って貫通する収容孔３３Ａを穿設し、この収容孔３３Ａに段差接続部３５Ｄを収容させる。それと共に、段差接続部３５Ｄの上面が、第１バスバーの上面と略同一高さとなるように形成する。これにより、スイッチングデバイス３４の端子のうち、一方を回路基板３３の導電路の接続部分へはんだ付けし、他方を第２バスバー３５の段差接続部３５Ｄへはんだ付けするようにすることができる。ここで、段差接続部３５Ｄに対してはんだ付けするスイッチングデバイス３４の端子の先端部分は、回路基板３３の導電路に対してはんだ付けする先端部分よりも下側(バスバー回路３２側)へ延びており、接続部分に段差が生じていても確実にはんだ付けが可能となっている。
また、本実施形態では回路基板３３側の収容孔３３Ａに隣接してスイッチングデバイス３４の載置孔３３Ｂが形成されている。この載置孔３３Ｂはスイッチングデバイス３４の本体底面部に形成された電極（ゲート電極）を直接バスバー回路３２に接続させるためものであり、回路基板３３においては収容孔３３Ａと連通するように形成されているものもある（図４，５参照）。
【００２０】
さらに、電源分配部１３のバスバー回路３２側には金属平板状の放熱板１９が接着剤（例えばエポキシ系接着剤）によって接着されている。この放熱板１９はサイドケース１７の外方（図３の左手前方）の壁面（全面）を構成し、放熱板１９自身が外部に露出する構成となっている。電源分配部１３はこのように構成されることで、電源分配部１３のスイッチングデバイス３４からの発熱をバスバー回路３２を介して放熱板１９に伝熱し、放熱板１９から外部へ放熱するようになっている。
【００２１】
ケーシング１５は、メインケース１６にサイドケース１７及び上側ケース１８を組付ける構成となっている（図１参照）。
上側ケース１８は電気接続箱１０の上方を被覆するようになっていると共に、その上面には、外装品挿入孔１８Ａが穿設されており、この外装品挿入孔１８Ａ内には分岐路部１２或いは電源分配部１３から延出された二又端子が挿入されることで外装品取付部１４が構成される。この外装品取付部１４の外装品挿入孔１８ＡにヒューズＨ又はヒュージブルリンクＦが組み付けられると、これらの端子が二又状に形成された垂直接続部２３Ｖに挟持されることで導通接続が図られるようになっている。
メインケース１６は、図１に示すように、上方に開口する上側収容部１６Ｈと一側方（図１の左奥方）に開口する側方収容部１６Ｖとが形成されていて全体Ｌ字状をなしている。上側収容部１６Ｈは、分岐路部１２を収容してから上側ケース１８が組み付けられることで、その開口部を塞ぐようになっている。また、上側収容部１６Ｈは、その底面外側に外部機器との接続を行うコネクタハウジング１６Ｃが形成されている（図１３参照）。
一方、側方収容部１６Ｖは電源分配部１３を組付けたサイドケース１７が組み付けられることでその開口部を塞ぐようになっている。また、側方収容部１６Ｖの開口部と対向する側の壁面には電源分配部１３に形成された制御用コネクタ３７を外部に露出させるための挿通孔１６Ａが穿設されている。
さらに、側方収容部１６Ｖはその周壁を側方の開口部側へ延出させて突壁１６Ｐを備える。この突壁１６Ｐは、サイドケース１７の組み付け方向に沿って突出されており、本実施形態では、側方収容部１６Ｖの図７における左右両側部から下部に亘って連続的に設けられている。
【００２２】
サイドケース１７は、断熱性を有する合成樹脂製で、電源分配部１３の外形に合わせて略方形状をなす枠体からなり（図４，８参照）、電源分配部１３の平面方向の外周縁部を全周に亘って包囲するようになっている。そして、サイドケース１７は、放熱板１９とメインケース１６の側方収容部１６Ｖとでもって電源分配部１３を被覆することで、電源分配部１３から発生した熱が周囲に放出することを規制するようになっている。
また、サイドケース１７は、電源分配部１３の正規位置へ組み付けられることにより放熱板１９の端縁のエッジ部分を全周に亘って被覆するようになっており、金属製である放熱板１９のエッジ部分が他の部材等に引っ掛かけて損傷させたりすることを規制可能となっている。
【００２３】
さらに、サイドケース１７はその１辺部（図７の上側の辺部）を肉厚にして保持部３８が設けられている。この保持部３８には挿通孔３８Ａと嵌入部３８Ｊとハウジング３６Ｃとが形成されている。
挿入孔３８Ａはヒューズ端子３１Ｈを挿通させるめのものであり、ヒューズ端子３１の板厚・幅に合わせて横長状の孔が保持部を貫通するように形成されている。
また、嵌入部３８Ｊは挿通孔３８Ａの図７の下側に形成された凹部よりなる。嵌入部３８Ｊは電源分配部１３の表面に対して垂直な方向に掘削されたものであり、この嵌入部３８Ｊに分岐路部１２の先端部を嵌入させることで、電源分配部１３と分岐路部１２とが互いに垂直となるように保持可能となっている。
ハウジング３６は全体略角筒形状をなすと共に複数のキャビティ３６Ｃを有している。ハウジング３６のキャビティ３６Ｃは、上述の接続端子３１Ｖ及び垂直外部端子３５Ｖに対応して配設されており、これらの端子がキャビティ３６Ｃ内に貫通することでオス端子をなしている。さらに、キャビティ３６内には接続端子３１Ｖ及び垂直外部端子３５Ｖと嵌合する中継端子４０が収容される。
【００２４】
さらに、サイドケース１７には、内側壁部１７Ｔと外側壁部１７Ｓとが設けられている。これらの壁部１７Ｔ，１７Ｓは、図８における紙面表側、即ち、サイドケース１７とメインケース１６との組み付け方向に沿って突出するように形成されており、内側壁部１７Ｔは外側壁部１７Ｓよりも突出量が大きくなるように形成されている。そして、この内側壁部１７Ｔと外側壁部１７Ｓとの間には嵌入溝部１７Ｄが形成されており、この嵌入溝部１７Ｄに対して、メインケース１６の突壁１６Ｐを嵌入させるようになっている。
また、サイドケース１７の外周には係止受部１７Ｌが形成されており、本実施形態では外周面に沿って５箇所に配設されていて、メインケース１６の対応する箇所に設けられて係止突部１６Ｌと係止することで、サイドケース１７の抜脱を規制するようになっている。
【００２５】
さて、上記のように構成される本実施形態の電気接続箱１０では、ハウジング３６を介して、分岐路部１２と電源分配部１３とが電気的に接続される。
より詳細には、メインケース１６に組み付けられた分岐路部１２と、サイドケース１７及び放熱板１９が組み付けられた電源分配部１３とを組み付けるのであるが（図９参照）、このとき、まずメインケース１６の突壁１６Ｐの内側にサイドケース１７の内側壁部１７Ｔが入り込むことで、大まかな位置合わせがなされる（図１０参照）。
そして、さらにメインケース１６にサイドケース１７を近付けると、メインケース１６の突壁１６Ｐの先端が、サイドケース１７の外側壁部１７Ｓの内側、即ち嵌入溝部１７Ｄ内に入り込む（図１１参照）。
これと同時に、水平接続部２３Ｈの先端がハウジング３６のキャビティ３６Ｃ内の中継端子４０に対して嵌合を開始する。この際、メインケース１６の突壁１６Ｐはサイドケース１７の嵌入溝部１７Ｄ内に嵌合して、その組み付け方向に垂直な方向への移動が規制された状態になっており、この状態で水平接続部２３Ｈはキャビティ３６Ｃ内へ挿入されるので、水平接続部２３Ｈは位置決めされた状態で中継端子４０との嵌合動作を行うことが可能となる。
こうして、ハウジング３６のキャビティ３６内において、電源分配部１３の接続端子３１Ｖ及び垂直外部端子３５Ｖと対応する分岐路部１２の水平接続部２３Ｈとが中継端子４０に嵌合することで、分岐路部１２と電源分配部１３との導通接続が行われるようになっている。
【００２６】
このように本実施形態の電気接続箱１０によればケーシング１５の組み付け時に突壁１６Ｐと嵌入溝部１７Ｄとの嵌合動作によって先に分岐路部１２と電源分配部１３との位置決めがなされてから水平接続部２３Ｈと接続端子３１Ｖ及び垂直外部端子３５Ｖとの接続がおこなわれるので、組み付け方向と垂直をなす平面方向に関する移動を規制した状態で端子同士の嵌合を行うことができる、即ち、端子同士の位置決めを正確にすることが可能となると共に、電気接続箱１０の組み付け性が向上する。
【００２７】
また、本実施形態によれば電源分配部１３の接続端子３１Ｖと垂直外部端子３５Ｖとのように、電源分配部に対して異なる構造で固着されたものである場合、その固着力が相違しており、一方が他方に比べて固着力が弱いことも考えられるが、そのような場合でも、ケーシングの嵌合によって正確に位置決めしながら嵌合動作を行わせることで、余分な力が作用することを規制して、端子を保護することができるので、電気接続箱の信頼性が向上する。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、メインケース１６に設けた突壁１６Ｐとサイドケース１７に設けた嵌入溝部１７Ｄとの嵌合動作により、端子の位置決めを行うものであったが、これに限らず、専用の位置決め部材を形成するものであってもよい。
（２）上記実施形態では電源分配部１３と分岐路部１２との接続部が、接続端子３１Ｖ及び垂直外部端子３５Ｖと水平接続部２３Ｈ、さらにこれらを接続する中継端子４０を用いた構成のものであったが、これに限らず、電源分配部１３の端子と分岐路部１２の端子とが直接嵌合可能な構造のものであってもよい。
（３）上記実施形態では、第２バスバー３５は、電源分配部１３のスイッチングデバイス３４が実装されている側の面（実装面）に配設されているものであったが、これに限らず、例えば電源分配部１３のバスバー回路３２側に配設されているものであってもよい。
（４）上記実施形態では、外装品としてヒューズＨ及びヒュージブルリンクＦを搭載するものであったが、これに限らず、例えばリレー、センサー、ＥＣＵ等であってもよい。
（５）上記実施形態では、分岐路部１２と電源分配部１３との各々の回路の電気接続を中継端子４０を介した端子嵌合により行うものであったが、例えばタブ状の端子同士を溶接（抵抗溶接、レーザー溶接等）で接続するものであってもよい。
【図面の簡単な説明】
【００２９】
【図１】電気接続箱の分解斜視図
【図２】電気接続箱の斜視図
【図３】分岐路部の構成部品を分解した状態の電気接続箱の分解斜視図
【図４】電源分配部の分解斜視図
【図５】電源分配部の斜視図
【図６】電源分配部にサイドカバーを組付けた状態の斜視図
【図７】メインケースの下側収容部側から見た側面図
【図８】サイドカバーの平面図
【図９】分岐路部と電源分配部との組付け前の状態を示す電気接続箱の断面図
【図１０】組み付け中におけるケーシングの嵌合開始時の電気接続箱の断面図
【図１１】組み付け中における端子の嵌合開始時の電気接続箱の断面図
【図１２】上側ケースの組み付け前の電気接続箱の断面図
【図１３】電気接続箱の断面図
【符号の説明】
【００３０】
１０…電気接続箱
１２…分岐路部（第１回路構成体）
１３…電源分配部（第２回路構成体）
１５…ケーシング
１６…メインケース（ケーシング）
１７…サイドケース（ケーシング）
１６Ｐ…突壁（突部）
１７Ｄ…嵌入溝部（受部）
２１…バスバー
２３Ｈ…（第２端子）
２５…絶縁板（絶縁基板）
３１…第１バスバー（バスバー）
３１Ｖ…接続端子（第１端子）
３３…制御用回路基板
３４…スイッチングデバイス
３５…第２バスバー
３５Ｖ…垂直外部端子（第１端子）
【図１】
2006187124.tif 000003
【図２】
2006187124.tif 000004
【図３】
2006187124.tif 000005
【図４】
2006187124.tif 000006
【図５】
2006187124.tif 000007
【図６】
2006187124.tif 000008
【図７】
2006187124.tif 000009
【図８】
2006187124.tif 000010
【図９】
2006187124.tif 000011
【図１０】
2006187124.tif 000012
【図１１】
2006187124.tif 000013
【図１２】
2006187124.tif 000014
【図１３】
2006187124.tif 000015